(57)【特許請求の範囲】
【請求項１】
接続されているＡＶ機器から送られてくる映像ストリームデータや音声ストリームデータから映像や音声を再生することができるディスプレイ装置であって、
前記映像ストリームデータから映像信号と該映像信号の映像方式を示す情報を含んだ映像ストリーム識別子を分離し、又、音声ストリームデータから音声信号と該音声信号の音声方式を示す情報を含んだ音声ストリーム識別子とを分離することができるデジタルインターフェイスと、
前記映像信号をデコードする複数の映像デコーダと、
前記音声信号をデコードする音声デコーダと、
前記映像信号をデコード可能な映像デコーダに出力するために切り替えを行う映像データ分離スイッチ手段と、
前記映像デコーダによってデコードされた映像信号をアナログ信号に変換する表示処理手段と、
前記表示処理手段でアナログ信号に変換された映像信号を表示する画面表示手段と、
前記音声デコーダによってデコードされた音声信号をアナログ信号に変換する音声処理手段と、
前記音声処理手段でアナログ信号に変換された音声信号を出力するスピーカと、
前記デジタルインターフェイスで分離された映像ストリーム識別子に基づいて当該映像信号の映像方式を判別する機能を有した制御手段とを具備し、
前記制御手段は、前記映像ストリーム識別子によって判別した映像方式に基づいて前記映像データ分離スイッチ手段の切り替えを制御し、該判別した映像方式の映像信号をデコードできない場合は、デコード不可能であることを前記画面表示手段に表示させること
を特徴とするディスプレイ装置。
【請求項２】
接続されているＡＶ機器から送られてくる映像ストリームデータや音声ストリームデータから映像や音声を再生することができるディスプレイ装置であって、
前記映像ストリームデータから映像信号と該映像信号の映像方式を示す情報を含んだ映像ストリーム識別子を分離し、又、音声ストリームデータから音声信号と該音声信号の音声方式を示す情報を含んだ音声ストリーム識別子とを分離することができるデジタルインターフェイスと、
前記映像信号をデコードする複数の映像デコーダと、
前記音声信号をデコードする複数の音声デコーダと、
前記映像信号をデコード可能な映像デコーダに出力するために切り替えを行う映像データ分離スイッチ手段と、
前記映像デコーダによってデコードされた映像信号をアナログ信号に変換する表示処理手段と、
前記表示処理手段でアナログ信号に変換された映像信号を表示する画面表示手段と、
前記音声信号をデコード可能な音声デコーダに出力するために切り替えを行う音声データ分離スイッチ手段と、
前記音声デコーダによってデコードされた音声信号をアナログ信号に変換する音声処理手段と、
前記音声処理手段でアナログ信号に変換された音声信号を出力するスピーカと、
前記デジタルインターフェイスで分離された映像ストリーム識別子及び音声ストリーム識別子に基づいて当該映像信号の映像方式や音声信号の音声方式を判別する機能を有した制御手段とを具備し、
前記制御手段は、前記映像ストリーム識別子によって判別した映像方式に基づいて前記映像データ分離スイッチ手段の切り替えを制御するとともに、前記音声ストリーム識別子によって判別した音声方式に基づいて前記音声データ分離スイッチ手段の切り替えを制御し、該判別した映像方式の映像信号又は音声方式の音声信号をデコードできない場合は、デコード不可能であることを前記画面表示手段に表示させること
を特徴とするディスプレイ装置。
【発明の詳細な説明】
【０００１】
【発明の属する技術分野】
本発明は、デコーダを備えたディスプレイ装置、例えばテレビジョン受像機において、ＡＶ機器からの信号に基づいて適切なデコーダを選択して復号化する機能を有するディスプレイ装置に関する。
【０００２】
【従来の技術】
従来技術における複数のＡＶ機器と接続したディスプレイ装置、例えばテレビジョン受像機等の映像表示器やビデオ、オーディオ機器といったＡＶ機器を接続し、各ＡＶ機器の映像信号、音声信号を入力するには、アナログ信号の入力の場合と、ディジタル信号の入力の場合ではその対応の仕方が異なる。
【０００３】
即ち、アナログ信号の入出力の場合には、ビデオ信号のフォーマットにより別々の入力端子、例えばコンポジットビデオ端子、Ｓ端子、ＲＧＢ入力端子等のそれぞれの端子に正しく結線をして映像／音声を視聴する。
【０００４】
ディジタル信号の入出力の場合には、本来の映像信号と映像信号のフォーマットを示すストリーム識別子を時分割で同時に送れるため、信号用ケーブルの結線を変えることなしに動的に様々なフォーマットの信号をデコーダにて復号化して映像／音声を視聴する。
【０００５】
このデコーダは、複数の種類の復号化をするデコーダを用意しておき、それぞれにストリームを振り分けて使う方法と、ソフトウエア制御で動作し、内部プログラムを切り替えることによって様々なストリームをデコードできるものとの２種類が周知となっている。いずれにしても、デコーダとストリームとは１対１の関係となっている。
【０００６】
【発明が解決しようとする課題】
しかしながら、上記説明した従来技術における圧縮した映像信号、音声信号を復号化するデコーダは、特定の映像方式や音声方式による復号化に関しては有効に作用するが、ディジタル信号の伝送になるとデコード手法、例えば映像信号の映像方式の種類が増加し、その対応ができないと云う問題があった。
【０００７】
従って、デコーダのデコード手法の種類が増加しても、入出力端子を増加させることなく、復号化を適切に行うことができるようにすることに解決しなければならない課題を有している。
【０００８】
【課題を解決するための手段】
上記課題を解決するために、本発明に係るディスプレイ装置は、接続されているＡＶ機器から送られてくる映像ストリームデータや音声ストリームデータから映像や音声を再生することができるディスプレイ装置であって、前記映像ストリームデータから映像信号と該映像信号の映像方式を示す情報を含んだ映像ストリーム識別子を分離し、又、音声ストリームデータから音声信号と該音声信号の音声方式を示す情報を含んだ音声ストリーム識別子とを分離することができるデジタルインターフェイスと、前記映像信号をデコードする複数の映像デコーダと、前記音声信号をデコードする音声デコーダと、前記映像信号をデコード可能な映像デコーダに出力するために切り替えを行う映像データ分離スイッチ手段と、前記映像デコーダによってデコードされた映像信号をアナログ信号に変換する表示処理手段と、前記表示処理手段でアナログ信号に変換された映像信号を表示する画面表示手段と、前記音声デコーダによってデコードされた音声信号をアナログ信号に変換する音声処理手段と、前記音声処理手段でアナログ信号に変換された音声信号を出力するスピーカと、前記デジタルインターフェイスで分離された映像ストリーム識別子に基づいて当該映像信号の映像方式を判別する機能を有した制御手段とを具備し、前記制御手段は、前記映像ストリーム識別子によって判別した映像方式に基づいて前記映像データ分離スイッチ手段の切り替えを制御し、該判別した映像方式の映像信号をデコードできない場合は、デコード不可能であることを前記画面表示手段に表示させるディスプレイ装置である。
【０００９】
又、接続されているＡＶ機器から送られてくる映像ストリームデータや音声ストリームデータから映像や音声を再生することができるディスプレイ装置であって、前記映像ストリームデータから映像信号と該映像信号の映像方式を示す情報を含んだ映像ストリーム識別子を分離し、又、音声ストリームデータから音声信号と該音声信号の音声方式を示す情報を含んだ音声ストリーム識別子とを分離することができるデジタルインターフェイスと、前記映像信号をデコードする複数の映像デコーダと、前記音声信号をデコードする複数の音声デコーダと、前記映像信号をデコード可能な映像デコーダに出力するために切り替えを行う映像データ分離スイッチ手段と、前記映像デコーダによってデコードされた映像信号をアナログ信号に変換する表示処理手段と、前記表示処理手段でアナログ信号に変換された映像信号を表示する画面表示手段と、前記音声信号をデコード可能な音声デコーダに出力するために切り替えを行う音声データ分離スイッチ手段と、前記音声デコーダによってデコードされた音声信号をアナログ信号に変換する音声処理手段と、前記音声処理手段でアナログ信号に変換された音声信号を出力するスピーカと、前記デジタルインターフェイスで分離された映像ストリーム識別子及び音声ストリーム識別子に基づいて当該映像信号の映像方式や音声信号の音声方式を判別する機能を有した制御手段とを具備し、前記制御手段は、前記映像ストリーム識別子によって判別した映像方式に基づいて前記映像データ分離スイッチ手段の切り替えを制御するとともに、前記音声ストリーム識別子によって判別した音声方式に基づいて前記音声データ分離スイッチ手段の切り替えを制御し、該判別した映像方式の映像信号又は音声方式の音声信号をデコードできない場合は、デコード不可能であることを前記画面表示手段に表示させるディスプレイ装置である。
【００１０】
上記構成にしたディスプレイ装置は、信号入出力端子のケーブル等の接続を変えることなく複数種類のフォーマットの映像信号及び音声信号を適切に復号化できるようになる。
【００１１】
又、ディスプレイ装置に備えてあるデコーダを、新しいフォーマットに対応させるようにすれば、例えばテレビジョン受像機などのディスプレイ装置を新規に購入しなくても、新しいフォーマットによる映像信号及び音声信号を復号化することができるようになる。
【００１２】
【発明の実施の形態】
本発明に係る複数のＡＶ機器と接続したデコード機能を有するディスプレイ装置の望ましい実施の形態は、図１に示すように、多種多数のＡＶ機器を、ＩＥＥＥ１３９４規格に準拠したデジタルインターフェイス（以下、１３９４ＩＦと云う）を介して接続した構成にし、ディスプレイ装置に複数種類のデコーダを備え、入力した映像信号及び又は音声信号の映像方式や音声方式に基づいて適切なデコーダを適宜選択して復号化するようにしたディスプレイ装置である。
【００１３】
ここで１３９４ＩＦについて説明しておく。１３９４ＩＦは、複数のＡＶ機器をデイジーチェンで接続することが可能な所謂シリアルバスであって、各ＡＶ機器は１３９４ＩＦにおいてノードを形成している。各ノードからは、ブランチを出すこともできる。各ＡＶ機器の接続は、ループを形成しない限り任意である。
【００１４】
即ち、図１においては、テレビジョン受像機ＴＶから二つのブランチが出ており、その一つはデジタルカムコーダＤＣＡＭと接続され、もう一つのブランチには、ディジタルビデオレコーダＶＣＲ−Ａ、ＶＣＲ−Ｂ、ＶＣＲ−Ｃと、ディジタルビデオディスクＤＶＤと、ゲーム機Ｇと、電話機ＴＥＬと、ファックスＦＡＸと、音楽ディスク交換機ＭＤＣと、ディジタルオーディオテープレコーダＤＡＴと、コンパクトディスク交換機ＣＤＣと、プリンタＰと、赤外線装置ＩＲＵとがデイジーチェンに１３９４ＩＦケーブルＣで接続されている。
【００１５】
このような機能を有する１３９４ＩＦは、６芯の１３９４ＩＦケーブルＣと、ケーブルの両端に接続された同一のコネクタと、各コネクタに接続されたＬＳＩ化された物理層と、物理層と接続されたＬＳＩ化されたリンク層と、リンク層と接続されたトランザクション層とからなる。トランザクション層はファームウェアからなる。
【００１６】
１３９４ＩＦケーブルＣは、２対のシールド線と２本の電源線からなる。その内の２対はデータ線とストローブ線とであってデータ転送に使用され、他の電源線として使用される。従って、電源が落ちている機器でも、信号をバイパスさせることができるから、電源が落ちている機器より先の機器に信号を送ることができるようになっている。
【００１７】
コネクタには、トランシーバを内蔵しており、このトランシーバと１３９４ＩＦケーブルＣとでリピータを形成している。物理層の一端は、１３９４ＩＦケーブルＣと接続され、他端はリンク層と接続されている。物理層は、１３９４ＩＦケーブルＣから入力した電気信号を符号化してリンク層へ送ると共に、リンク層から受け取ったコードデータを電気信号に復号化して１３９４ＩＦケーブルＣへ送出する。物理層はまた、後述のバスアービトレーション等を行う。
【００１８】
リンク層は、物理層で符号化されたデータに基づきパケットを作成しトランザクション層へ送信すると共にトランザクション層から受け取ったパケットを解読する。また、リンク層は、パケットの転送サイクルの制御を行う。
【００１９】
上記のように構成された１３９４ＩＦは、下記の特徴を有する。
（１）ＡＶ機器間の接続はシリアルであるから、全ＡＶ機器は、上記従来のテレビジョン受像機ＴＶに設けたＡＶスイッチャーのような切り換え接続部を必要としないで他のＡＶ機器と通信することができる。
（２）ＡＶシステム内のＡＶ機器は固定化されておらず、コネクタを挿抜することによりＡＶシステム内の任意の位置に自由に装着または離脱することができる。この時、各ＡＶ機器のＩＤは自動的に再設定される。
【００２０】
（３）特定のＡＶ機器がシリアルバスを独占しないようにするためのバスアービトレーション（調停）機能を持っている。これは、データをパケット単位で転送するもので、パケット長は最大５１２バイト（１００Ｍビット／秒の転送速度の場合は約４０μ秒に相当する）に制限している。各ＡＶ機器は、指定されているノード番号の順に、夫々の割当て時間だけパケット送信を行う。
【００２１】
（４）パケットは、常に一定の時間間隔で、リンク層から送出されその転送が終了するまでは他のパケットの転送はできないようになっている。各ＡＶ機器はパケットを受け取ったら自分に必要なデータであるかどうかを判断し、その判断結果に基づき処理をし又は無視する。
【００２２】
（５）パケットには普通のパケットと、優先度が高い緊急パケットと、更に優先度が高い後述のアイソクロナスパケットとがある。
（６）１３９４ＩＦケーブルＣは細く、コネクタは小型であるから１３９４ＩＦケーブルＣの引き回しやコネクタの着脱が容易である。また、コストが安い。
【００２３】
（７）信号の転送速度が従来のシリアル転送に比して速い。これは、信号を１対のデータ線と１対のストローブ線とを用いてシリアル転送（１ビットずつの転送）で送り、「データ線又はストローブ線のどちらかの電位が変化した時に、データ線のデータを読み取る」という規則に従うＤＳリンク方式により読み取るからである。このＤＳリンク方式は、データ線の電位の時間的な揺れに対応するものである。これにより、従来のシリアル転送（例えばＲＳ２３２Ｃ）のようなスタートビットとストップビットをデータの前後に挿入する必要がなくなり、転送速度が向上する。
【００２４】
次に、ＩＥＥＥ１３９４規格に準拠したデジタルインターフェイスで接続された複数のＡＶ機器と接続したディスプレイ装置であるテレビジョン受像機のコントロールセンターＣＣ側について説明する。
【００２５】
尚、本実施の形態においてはＩＥＥＥ１３９４規格を基準に説明しているがこれに限定されることなくこの規格に準拠した全てが含まれることは勿論のことである。
【００２６】
複数のＡＶ機器と接続したディスプレイ装置であるテレビジョン受像機は、図２に示すように、コントロールセンターＣＣと、図示しない１３９４ＩＦケーブルＣで接続された複数のＡＶ機器（例えばディジタルビデオレコーダＶＣＲ）とにより構成されている。
【００２７】
コントロールセンターＣＣは、ＴＶ回路１と、制御回路１１と、１３９４インターフェイス２４とから構成されている。
【００２８】
ＴＶ回路１は、通常のテレビジョン回路と同様に、映像信号処理系と音声信号処理系とを有しており、映像信号処理系は、１３９４インターフェイス２４から入力したディジタル映像信号をデコードするＭＰＥＧ用映像デコーダ２Ａ、ＳＤ用映像デコーダ２Ｂと、ＭＰＥＧ用映像デコーダ２Ａ又はＳＤ用映像デコーダ２Ｂでデコードされた映像信号をアナログ信号に変換するＤ／Ａ変換器３と、Ｄ／Ａ変換器３で変換されたアナログ映像信号と後述するディスプレイコントローラ１５からのメッセージ信号等とを重畳（スーパーインポーズ）するＧＵＩ（グラフィック・ユーザー・インターフェイス）を備えた画像多重化処理部４と、画像多重化処理部４で処理された画像データを表示用に再編成する表示処理部５と、表示処理部５の出力をブラウン管等の画面上に表示する受像機６とからなる。
【００２９】
また、ＴＶ回路１の音声信号処理系は、１３９４インターフェイス２４から入力するディジタル音声信号をデコードする音声デコーダ７と、音声デコーダ７でデコードされた音声信号をアナログ信号に変換するＤ／Ａ変換器８と、Ｄ／Ａ変換器８で変換されたアナログ音声信号を増幅する音声信号増幅器９と、音声信号増幅器９で増幅された音声信号を音に変換するスピーカ１０とからなる。
【００３０】
制御回路１１は、ＣＰＵ１２と、ＣＰＵ１２と１３９４インターフェイス２４との間を接続するバス１３と、映像デコーダ２Ａ、２Ｂ及び音声デコーダ７とバス１３との間に介在するＩ／Ｏ回路１４と、バス１３と画像多重化処理部４との間に介在するディスプレイコントローラ１５及びＶＲＡＭ１６と、バス１３に夫々接続されたＲＡＭ１７と、Ｉ／Ｏ回路２３を介して接続されているタイマー１８と、ＲＯＭ１９と、リモコン信号及びバス１３上からのデータを受信してデコードするリモコン信号デコーダ２０と、このリモコン信号デコーダ２０にバス１３上のデータを送受信するＩ／Ｏ回路２１と、リモコン信号を送信する携帯自在なリモコン２２と、１３９４インターフェイス２４を介して送られてくる映像信号をどちらかの映像デコーダ２Ａ、２Ｂに切り替えるデータ分離スイッチャー２５とから構成されている。
【００３１】
ＣＰＵ１２は、後述するプログラムを実行する。バス１３は、通常のＣＰＵバスである。Ｉ／Ｏ回路１４は、ＣＰＵ１２の制御の下で、映像デコーダ２Ａ、２Ｂ及び音声デコーダ７の入／出力のタイミングを制御する。又、ＣＰＵ１２は、１３９４インターフェイス２４により受信した映像ストリームがストリーム識別子と映像信号とに分離され、この分離されたストリーム識別子により、対応する映像デコーダとなるようにデータ分離機スイッチャー２５の切り替えを制御する。
【００３２】
ディスプレイコントローラ１５は、ＣＰＵ１２の制御の下でＶＲＡＭ１６上に受像機６の１画面分のメッセージデータ等を作成し、これを画像多重化処理部４へ送る。
【００３３】
ＲＡＭ１７は、ＣＰＵ１２の作業用ＲＡＭである。タイマー１８はカウンタからなり、実時間を計数する。ＲＯＭ１９はプログラムを格納する読出し専用メモリである。
【００３４】
１３９４インターフェイス２４は、ＩＥＥＥ１３９４バス規格によりＬＳＩ化された回路と、この回路に接続されたコネクタ２４ａを有している。このコネクタ２４ａには、１３９４ＩＦケーブルＣのプラグが差し込まれるようになっている。この１３９４インターフェイス２４の機能は、接続されるＡＶ機器側にも搭載されている。
【００３５】
１３９４ＩＦケーブルＣは、６芯線からなるケーブルであり、コントロールセンターＣＣとＡＶ機器との間をシリーズに順次接続している。１３９４ＩＦケーブルＣは上述したようにループを作らないように順次接続されている。
【００３６】
このような構成からなるコントロールセンターＣＣ側においては、１３９４ＩＦケーブルＣを介して外部に接続されている複数のＡＶ機器、例えばディジタルビデオレコーダＶＣＲからの複数の映像データと音声データがディジタル信号でパケット化されて送信されてくる。
【００３７】
この映像データ、即ち、映像ストリームは、図４に示すように、時分割多重化され圧縮された映像信号のところどころにストリーム識別子を挿入した構成となっている。
【００３８】
ストリーム識別子は、ストリーム識別子であることを示すヘッダーと、映像信号の映像方式、例えばＭＰＥＧ方式、ＳＤ方式等を示す映像方式と、画質と、ＣＲＣとから構成されている。尚、このような構成に限定されることはない。
【００３９】
このような構成からなる映像ストリームデータの処理について、図３に示すフローチャートを参照にして説明する。
【００４０】
先ず、コントロールセンターＣＣでは、接続されているＡＶ機器から１３９４インターフェイス２４によって受信した映像ストリームデータがストリーム識別子と映像信号とに分離され、ストリーム識別子はバス１３を介してＣＰＵ１２に送られる（ステップＳＴ１）。
【００４１】
ＣＰＵ１２は、ストリーム識別子を受信すると、ストリーム識別子を構成する映像方式、例えばＭＰＥＧ方式、ＳＤ方式等を判別する。
【００４２】
そして、ＭＰＥＧ方式であればデータ分離機スイッチャー２５をＭＰＥＧ用映像デコーダ２Ａ側に切り替え、１３９４インターフェイス２４からの映像信号を復号化してＤ／Ａ変換器３に送る（ステップＳＴ２、ＳＴ３、ＳＴ４）。
【００４３】
一方、ＳＤ方式であればデータ分離機スイッチャー２５をＳＤ用映像デコーダ２Ｂ側に切り替え、１３９４インターフェイス２４からの映像信号を復号化してＤ／Ａ変換器３に送る（ステップＳＴ５、ＳＴ６、ＳＴ７）。
【００４４】
もし、ＭＰＥＧ方式でもなく、ＳＤ方式でもない時は、復号化できないことをテレビジョン受像機の画面上にスーパーインポーズする（ステップＳＴ８）。
【００４５】
尚、実施例においては、ＭＰＥＧ方式とＳＤ方式の２種類であるが、これらの方式に限定されるものではなく、又、例えばスクランブルされた映像をデスクランブルするデコーダでもよいことは勿論のことである。
【００４６】
次に、音声信号をデコードする手法について説明する。コントロールセンターＣＣは、図５に示すように、音声用のデータ分離機スイッチャー２５を設けた構造となっており、その他の構成は図２に示した構成と同様であるので、同一番号を付与して、その説明は省略する。
【００４７】
即ち、音声信号用データ分離機スイッチャー２５Ａは、１３９４インターフェイス２４と音声デコーダ７Ａの間に設けた構成となっている。
【００４８】
このような構成とすることにより、コントロールセンターＣＣに接続されているＡＶ機器からの映像ストリーム及び音声ストリームを受信すると、１３９４インターフェイス２４において映像ストリームに含まれているストリーム識別子と映像信号とを分離すると共に、音声ストリームに含まれている音声信号とストリーム識別子とを分離し、バス１３を介して映像用と音声用のストリーム識別子をＣＰＵ１２に送る。
【００４９】
ＣＰＵ１２は、この映像用及び音声用ストリーム識別子により、データ分離機スイッチャー２５、２５Ａを切り替えて、１３９４インターフェイス２４からの映像信号及び音声信号を映像デコーダ２Ａ、２Ｂ及び音声デコーダ７Ａに送り復号化してＤ／Ａ変換器３、８に送る。
【００５０】
尚、音声デコーダ７Ａは、圧縮された音声信号に限定されることなく、例えば、変調された音声信号の復調、スクランブルされた音声信号のデスクランブルするデコーダであってもよいことは勿論のことである。
【００５１】
【発明の効果】
以上説明したように、本発明に係るディスプレイ装置は、映像ストリームや音声ストリームに含まれるストリーム識別子に基づき、接続されているＡＶ機器からの映像信号や音声信号のフォーマット形式に対応した複数種類のデコーダを適宜切り替えるようにしたことにより、複数のＡＶ機器をデイジーチェンで接続する場合であっても、接続を変えることなく複数種類のフォーマットからなる映像信号や音声信号をデコードすることができると云う効果がある。
【００５２】
又、新規のデコード方式によるＡＶ機器を接続する場合であっても、ディスプレイ装置のデコード機能の変更及び増設さえすれば新しいデコード方式に容易に対処することができると云う効果がある。
【図面の簡単な説明】
【図１】  本発明に係る複数のＡＶ機器を接続したディスプレイ装置の全体の構成を示したブロック図である。
【図２】  同複数の映像デコーダを備えたコントロールセンターのブロック図である。
【図３】  同映像ストリームの処理の状態を示したフローチャート図である。
【図４】  同映像ストリームの構成を示した説明図である。
【図５】  同複数の映像デコーダ及び音声デコーダを備えたコントロールセンターのブロック図である。
【符号の説明】
１    ＴＶ回路
２Ａ、２Ｂ    映像デコーダ
３    Ｄ／Ａ変換器
４    画像多重処理部
５    表示処理部
６    受像機
７、７Ａ    音声デコーダ
８    Ｄ／Ａ変換器
９    音声信号増幅器
１０    スピーカ
１１    制御回路
１２    ＣＰＵ
１３    バス
１４    Ｉ／Ｏ回路
１５    ディスプレイコントローラ
１６    ＶＲＡＭ
１７    ＲＡＭ
１８    タイマー
１９    ＲＯＭ
２０    リモコン信号デコーダ
２１    Ｉ／Ｏ回路
２２    リモコン
２３    Ｉ／Ｏ回路
２４    １３９４インターフェイス
２５、２５Ａ    データ分離機スイッチャー
ＶＣＲ−Ａ、ＶＣＲ−Ｂ、ＶＣＲ−Ｃ  ディジタルビデオレコーダ
ＴＶ  テレビジョン受像機
ＶＴＲ  ビデオテープレコーダ
ＤＣＡＭ  デジタルカムコーダ
ＤＶＤ  ディジタルビデオディスク
Ｇ  ゲーム機
ＴＥＬ  電話機
ＦＡＸ  ファックス
ＭＤＣ  音楽ディスク交換機
ＤＡＴ  ディジタルオーディオテープレコーダ
ＣＤＣ  コンパクトディスク交換機
Ｐ  プリンタ
ＩＲＵ  赤外線装置
【図１】
0003669451.tif 000002
【図２】
0003669451.tif 000003
【図３】
0003669451.tif 000004
【図４】
0003669451.tif 000005
【図５】
0003669451.tif 000006